(57)【要約】  一実施例によって、バッテリ、外部デバイスから電力を受信する受信端子と、バッテリを充電するために、外部デバイスから受信された電力の一部をバッテリに供給する第１経路と、ヒータを加熱するために、外部デバイスから受信された電力の一部をヒータに供給する第２経路と、を含むデバイスが開示される。
2021503271.tif 000002
【特許請求の範囲】
【請求項１】
デバイスにおいて、
外部デバイスから電力を受信する受信端子と、
前記デバイスに含まれたバッテリを充電するために、前記外部デバイスから受信された電力の一部を前記バッテリに供給する第１経路と、
前記デバイスに含まれたモジュールに電力を供給するために、前記外部デバイスから受信された電力の一部を前記モジュールに供給する第２経路と、を含むデバイス。
【請求項２】
前記モジュールは、単位時間当たりの消耗電力量が既定値以上であることを特徴とする請求項１に記載のデバイス。
【請求項３】
前記モジュールは、ヒータを含むことを特徴とする請求項１に記載のデバイス。
【請求項４】
前記バッテリの充電と前記ヒータの加熱とが同時に遂行されるように、前記外部デバイスから受信された電力の供給を制御するプロセッサをさらに含むことを特徴とする請求項３に記載のデバイス。
【請求項５】
前記プロセッサは、前記バッテリに電力を供給するとき、前記バッテリから前記ヒータへの電力供給に用いられる第３経路を遮断することを特徴とする請求項４に記載のデバイス。
【請求項６】
前記ヒータは、前記第２経路を介して受信された電力を用いて加熱掃除を行うことを特徴とする請求項４に記載のデバイス。
【請求項７】
デバイスにおいて、
外部デバイスから電力を受信する受信端子と、
前記デバイスに含まれたバッテリを充電するために、前記外部デバイスから受信された電力の時間当たりの受信量によって前記外部デバイスから受信された電力の全部または一部を前記バッテリに供給する第１経路と、
前記時間当たりの受信量が既定値以上である場合、ヒータを加熱するために、前記外部デバイスから受信された電力の一部を前記ヒータに供給する第２経路と、を含むことを特徴とするデバイス。
【請求項８】
前記時間当たりの受信量が前記既定値以上である場合、前記外部デバイスから受信された電力の一部を前記第１経路を通じて前記バッテリに供給して前記バッテリを充電し、
前記時間当たりの受信量が前記既定値未満である場合、前記外部デバイスから受信された電力の全部を、前記第１経路を通じて前記バッテリに供給して前記バッテリを充電するように、前記外部デバイスから受信された電力の供給を制御するプロセッサと、をさらに含むことを特徴とする請求項７に記載のデバイス。
【請求項９】
デバイスにおいて、
外部デバイスから電力を受信する受信端子と、
前記デバイスに含まれたバッテリの残量が既定値以下である場合、前記バッテリを充電するために、前記外部デバイスから受信された電力の一部を前記バッテリに供給する第１経路と、
前記バッテリの残量が既定値超過である場合、ヒータを加熱するために、前記外部デバイスから受信された電力の全部を前記ヒータに供給する第２経路と、を含むことを特徴とする請求項７に記載のデバイス。
【請求項１０】
デバイスに含まれたバッテリを充電する方法において、
外部デバイスから電力を受信する段階と、
前記受信された電力の一部を第１経路を通じて前記バッテリに供給して前記バッテリを充電する段階と、
前記受信された電力の一部を第２経路を介して、ヒータに供給して前記ヒータを加熱する段階と、を含むことを特徴とする請求項７に記載のデバイス。
【請求項１１】
前記バッテリの充電と前記ヒータの加熱は、同時に遂行されることを特徴とする請求項１０に記載の方法。
【請求項１２】
前記バッテリを充電する段階は、前記バッテリから前記ヒータへの電力供給に用いられる第３経路を遮断する段階を含むことを特徴とする請求項１０に記載の方法。
【請求項１３】
デバイスに含まれたバッテリを充電する方法において、
外部デバイスから電力を受信する段階と、
前記受信された電力の時間当たりの受信量によって前記受信された電力の全部または一部を第１経路を通じて前記バッテリに供給して前記バッテリを充電する段階と、
前記受信された電力の時間当たりの受信量が既定値以上である場合、前記受信された電力の一部を第２経路を介して、ヒータに供給して前記ヒータを加熱する段階と、を含むことを特徴とする方法。
【請求項１４】
前記バッテリを充電する段階は、
前記受信された電力の時間当たりの受信量が前記既定値以上である場合、前記受信された電力の一部を前記第１経路を通じて前記バッテリに供給して前記バッテリを充電し、
前記受信された電力の時間当たりの受信量が前記既定値未満である場合、前記受信された電力の全部を前記第１経路を通じて前記バッテリに供給して前記バッテリを充電することを特徴とする請求項１３に記載の方法。
【請求項１５】
請求項１０〜１４のいずれか１項に記載の方法を具現するために記録媒体に保存されたコンピュータプログラム。
【発明の詳細な説明】
【技術分野】
【０００１】
本発明は、電力を消費するモジュールを含むデバイスにおいて、モジュールに電力を供給する方法及びそのデバイスに関する。
【背景技術】
【０００２】
バッテリ及び多くのモジュールを含むデバイスの使用が急増している。特に、バッテリ及びヒータを含むデバイスである場合、ヒータの特性上、電力消耗が多い。
【０００３】
このようにバッテリ及び１つ以上のモジュールを含むデバイスである場合、充電と同時にデバイスの多様な機能が動作するように具現されることが普通である。しかし、これについて、デバイスの多様な機能を充電と同時に動作可能にするための具体的な電力供給方式が提供されていない。
【発明の概要】
【発明が解決しようとする課題】
【０００４】
本発明が解決しようとする課題は、ヒータ及びバッテリを含むデバイスにおいて、ヒータまたはバッテリに電力を供給する方法及びそのデバイスを提供することである。
【０００５】
具体的に、デバイスの多様な機能を充電と同時に動作させるための具体的な電力供給方式が開示される。本発明が解決しようとする技術的課題は、前記技術的課題に限定されず、さらに他の技術的課題が存在することもある。
【課題を解決するための手段】
【０００６】
第１側面によるバッテリを含むデバイスは、バッテリを含むデバイスにおいて、外部デバイスから電力を受信する受信端子と、前記バッテリを充電するために、前記外部デバイスから受信された電力の一部を前記バッテリに供給する第１経路と、ヒータを加熱するために、前記外部デバイスから受信された電力の一部を前記ヒータに供給する第２経路と、を含んでもよい。
【０００７】
また、前記バッテリの充電と前記ヒータの加熱とが同時に遂行されるように、前記外部デバイスから受信された電力の供給を制御するプロセッサをさらに含んでもよい。
【０００８】
また、前記プロセッサは、前記バッテリに電力を供給するとき、前記バッテリから前記ヒータへの電力供給に用いられる第３経路を遮断する。
【０００９】
また、前記ヒータは、前記第２経路を介して受信された電力を用いて加熱掃除を行う。
【００１０】
また、第２側面によるバッテリを含むデバイスは、外部デバイスから電力を受信する受信端子と、前記バッテリを充電するために、前記外部デバイスから受信された電力の時間当たりの受信量によって前記外部デバイスから受信された電力の全部または一部を前記バッテリに供給する第１経路と、前記時間当たりの受信量が既定値以上である場合、ヒータを加熱するために、前記外部デバイスから受信された電力の一部を前記ヒータに供給する第２経路と、を含んでもよい。
【００１１】
また、前記時間当たりの受信量が前記既定値以上である場合、前記外部デバイスから受信された電力の一部を、前記第１経路を通じて前記バッテリに供給して前記バッテリを充電し、前記時間当たりの受信量が前記既定値未満である場合、前記外部デバイスから受信された電力の全部を、前記第１経路を通じて前記バッテリに供給して前記バッテリを充電するように前記外部デバイスから受信された電力の供給を制御するプロセッサをさらに含んでもよい。
【００１２】
また、第３側面によるバッテリを含むデバイスは、外部デバイスから電力を受信する受信端子と、前記バッテリの残量が既定値以下である場合、前記バッテリを充電するために、前記外部デバイスから受信された電力の一部を前記バッテリに供給する第１経路と、前記バッテリの残量が既定値超過である場合、ヒータを加熱するために、前記外部デバイスから受信された電力の全部を前記ヒータに供給する第２経路と、を含んでもよい。
【００１３】
また、第４側面によるデバイスに含まれたバッテリを充電する方法は、外部デバイスから電力を受信する段階と、前記受信された電力の一部を第１経路を通じて前記バッテリに供給して前記バッテリを充電する段階と、前記受信された電力の一部を第２経路を介して、ヒータに供給して前記ヒータを加熱する段階と、を含んでもよい。
【００１４】
また、第５側面によるデバイスに含まれたバッテリを充電する方法は、外部デバイスから電力を受信する段階と、前記受信された電力の時間当たりの受信量によって前記受信された電力の全部または一部を第１経路を通じて前記バッテリに供給して前記バッテリを充電する段階と、前記受信された電力の時間当たりの受信量が既定値以上である場合、前記受信された電力の一部を第２経路を介して、ヒータに供給して前記ヒータを加熱する段階と、を含んでもよい。
【００１５】
また、第６側面は、第４側面及び第５側面の方法をコンピュータで実行させるためのプログラムを記録したコンピュータで読み取り可能な記録媒体を提供する。
【発明の効果】
【００１６】
本発明は、デバイスの多様な機能を、充電と同時に動作させるための具体的な電力供給方式を提供する。
【図面の簡単な説明】
【００１７】
【図１】一実施例によって複数個の経路を含むデバイスの一例を示すブロック図である。
【図２】一実施例によって外部デバイスから電力を受信するデバイスの一例を示すブロック図である。
【図３】一実施例によってバッテリを含むデバイスが外部デバイスから電力を受信してバッテリを充電する一例を示すフローチャートである。
【図４】一実施例によってバッテリを含むデバイスが受信された電力の時間当たりの受信量によって、バッテリを充電する一例を示すフローチャートである。
【図５】一実施例によってバッテリを含むデバイスがバッテリ残量によって、バッテリを充電するか、ヒータを加熱する一例を示すフローチャートである。
【図６】一実施例によって多くの種類の外部デバイスから受信された電力を用いて充電を行うか、ヒータを加熱するデバイスの一例を示す図面である。
【図７】一実施例によってデバイスの一例である電子タバコが外部デバイスから受信された電力を用いて充電を行うか、ヒータを加熱する一例を示す図面である。
【図８】一実施例によって電子タバコにデバイスが含まれる一例を示す図面である。
【図９】一実施例によってデバイスの一例であるホルダがクレードルから受信された電力を用いて充電を行うか、ヒータを加熱する一例を示す図面である。
【図１０】一実施例によってデバイスの一例であるホルダが外部デバイスから受信された電力を用いて充電を行うか、ヒータを加熱する一例を示す図面である。
【図１１】一実施例によってエアロゾルを生成するデバイスの一例を示す図面である。
【図１２】一実施例によるシガレット挿入を通じてエアロゾルを生成するデバイスの一例を示す図面である。
【発明を実施するための形態】
【００１８】
第１側面によるバッテリを含むデバイスは、バッテリを含むデバイスにおいて、外部デバイスから電力を受信する受信端子と、前記バッテリを充電するために、前記外部デバイスから受信された電力の一部を前記バッテリに供給する第１経路と、ヒータを加熱するために、前記外部デバイスから受信された電力の一部を前記ヒータに供給する第２経路と、を含んでもよい。
【００１９】
実施例で使用される用語は、本発明での機能を考慮しつつ、可能な限り、現在広く使用される一般的な用語を選択したが、これは、当業者の意図または判例、新たな技術の出現などによって異なりうる。また、特定の場合、出願人が任意に選定した用語もあり、その場合、当該発明の説明部分において、詳細にその意味を記載する。従って、本発明で使用される用語は、単純な用語の名称ではなく、その用語が有する意味と、本発明の全般にわたる内容とを基に定義されなければならない。
【００２０】
明細書全体である部分がある構成要素を「含む」とするとき、これは、特に反対となる記載がない限り、他の構成要素を除外するものではなく、他の構成要素をさらに含んでもよいということを意味する。また、明細書に記載の「…部」、「…モジュール」などの用語は、少なくとも１つの機能や動作を処理する単位を意味し、これは、ハードウェアまたはソフトウェアとして具現されるか、ハードウェアとソフトウェアとの組み合わせとして具現される。
【００２１】
以下、添付図面を参考にして、本発明の実施例について本発明が属する技術分野で通常の知識を有する者が容易に実施可能なように詳細に説明する。しかし、本発明は、様々な異なる形態に具現され、ここで説明する実施例に限定されない。
【００２２】
図１は、一実施例によって複数個の経路を含むデバイス１００の一例を示すブロック図である。図１に示されたように、デバイス１００は、受信端子１１０、バッテリ１２０、モジュール１３０、第１経路１４０及び第２経路１５０を含んでもよい。他の例によるデバイスは、プロセッサ（図２に図示）をさらに含んでもよい。
【００２３】
しかし、図１に示された構成要素以外に、他の汎用的な構成要素がデバイス１００にさらに含まれてもよいということは、関連技術分野において当業者であるならば、理解することができるであろう。または、他の実施例による場合、図１に示された構成要素のうち、一部構成要素は、省略可能であることを関連技術分野において当業者であれば、理解することができるであろう。
【００２４】
一実施例によるデバイス１００は、外部デバイス１０００から電力を受信する。外部デバイス１０００は、デバイス１００に電力を供給するデバイスであって、複数種でもある。外部デバイス１０００は、デバイス１００に既設定の形態の電力を供給することができる。例えば、外部デバイス１０００は、ＵＳＢ(Universal Serial Bus)規格（例えば、ＵＳＢ  １．０、ＵＳＢ  ２．０、ＵＳＢ  ３．０など）による電力を供給するデバイスでもある。他の例として、外部デバイス１０００は、クレードルでもあり、その場合、外部デバイス１０００は、ＵＳＢ以外の既設定の規格によってデバイス１００に電力を供給する。
【００２５】
一実施例によるデバイス１００は、外部デバイス１０００から受信端子１１０を通じて電力を受信する。一実施例による受信端子１１０は、複数個のラインを含み、既設定の形態（例えば、直流または、交流）の電力を受信する。
【００２６】
図１の図示とは異なって、デバイス１０００は、外部デバイス１０００から無線で電力を受信する。その場合、受信端子１１０は、無線で電力を受信する無線電力受信端子の機能を行う。
【００２７】
一実施例による受信端子１１０は、バッテリ１２０またはモジュール１３０に付着する形態として具現される。また、一実施例によるデバイス１００は、１つ以上の受信端子１１０を含んでもよい。例えば、バッテリ１２０に第１受信端子が付着され、モジュール１３０に第２受信端子が付着される。
【００２８】
一実施例による受信端子１１０は、第１経路１４０を介してバッテリ１２０に電力を供給し、第２経路１５０を通じてモジュール１３０に電力を供給する。図１では、一実施例によって１つのモジュール１３０のみを開示しているが、デバイス１００は、１つ以上のモジュール１３０を含んでもよい。
【００２９】
第１経路１４０と第２経路１５０は、それぞれ独立して動作する。例えば、第１経路１４０と第２経路１５０は、同時にバッテリ１２０とモジュール１３０にそれぞれ電力を供給する。他の例として、第１経路１４０と第２経路１５０のうち、いずれか１つだけが電力をバッテリ１２０またはモジュール１３０に供給する。一例として、外部デバイス１０００から供給される単位時間当たり電力（例えば、電流）が既定値以下である場合、第１経路１４０と第２経路のうち、いずれか１つのみ活性化される。例えば、外部デバイス１０００から供給される単位時間当たりの電力（例えば、電流）が既定値以下である場合、第１経路１４０だけが活性化され、バッテリ１２０に対する充電のみ行われる。他の例として、外部デバイス１０００から供給される単位時間当たり電力（例えば、電流）が既定値以下である場合、第２経路１５０のみ活性化され、モジュール１３０だけ動作する。外部デバイス１０００から供給される単位時間当たり電力（例えば、電流）が既定値超過である場合、第１経路１４０及び第２経路１５０がいずれも活性化され、バッテリ１２０に対する充電とモジュール１３０の動作とが同時に遂行される。したがって、バッテリ１２０の過熱や爆発などの危険性なしに、充電中にもデバイス１００の使用が可能である。ユーザは、充電がある程度完了するまで待たずに、直ちに使用することができる。また、充電時間が短縮される。
【００３０】
一実施例によるバッテリ１２０は、デバイス１００に含まれた１つ以上のモジュール１３０に電力を供給することができる。例えば、デバイス１００は、デバイス１００に含まれたヒータ（図２に図示）に電力を供給することができる。
【００３１】
一例によるバッテリ１２０は、１つ以上のモジュール１３０に電力を供給することができる。例えば、バッテリ１２０は、直流または、交流形態で電力を１つ以上のモジュール１３０に供給する。
【００３２】
一例によるバッテリ１２０は、第１経路１４０から受信した電力を用いて充電される。例えば、一例によるバッテリ１２０は、第１経路１４０を通じて直流または、交流形態の電力を受信して充電される。
【００３３】
一実施例によるバッテリ１２０は、無線充電方式によって充電される。バッテリ１２０が無線充電方式によって充電される場合、第１経路１４０は省略される。
【００３４】
一実施例によるモジュール１３０は、デバイス１００で具現される１つ以上の機能を具現する。例えば、モジュール１３０は、時間当たり電力消耗量が既定値以上である機器を含んでもよい。他の例として、モジュール１３０は、時間当たり電力消耗量に関係なく、電力を用いて動作する電子機器を含んでもよい。電力消耗量または時間当たり電力消耗量に関係なく、少ない電力を消耗する電子機器にも本発明が適用される。一実施例によれば、受信端子１１０が電力を受信すれば、モジュール１３０の電力消耗量と関係なく、モジュール１３０は、バッテリ１２０から電力を受信するものではなく、受信端子１１０から直接電力を受信することで、バッテリ１２０の過熱、バッテリ１２０の過電力消耗、バッテリ１２０の爆発などの危険性を減少させうる。
【００３５】
例えば、モジュール１３０の電力消耗量と関係なく、受信端子１１０からバッテリ１２０を通さずに、直接モジュール１３０に電力が供給されるので、バッテリ１２０を充電した後、バッテリ１２０から電力が消耗される場合と比べて、バッテリ１２０の寿命を延ばす効果があり、携帯電話、補助バッテリ、ノート型パソコンなどにも適用される。
【００３６】
他の例として、モジュール１３０は、時間当たり電力消耗量が既定値以上である機器を含んでもよい。一例として、モジュール１３０は、ヒータでもある。ヒータは、第２経路１５０を介して受信した電力を熱エネルギーに変換する。具体的なヒータの動作については、図２で後述する。
【００３７】
図２は、一実施例によって外部デバイス１０００から電力を受信するデバイス１００の一例を示すブロック図である。
【００３８】
図２に示されたように、デバイス１００は、受信端子１１０、バッテリ１２０、ヒータ１３５、第１経路１４０、第２経路１５０及びプロセッサ２１０を含んでもよい。
【００３９】
しかし、図２に示された構成要素以外に、他の汎用的な構成要素がデバイス１００にさらに含まれてもよいということは、関連技術分野において当業者であるならば、理解することができるであろう。または、他の実施例による場合、図２に示された構成要素のうち、一部構成要素は、省略可能であることを関連技術分野において当業者であるならば、理解することができるであろう。
【００４０】
一実施例による受信端子１１０は、外部デバイス１０００から電力を受信することができる。
【００４１】
一実施例による受信端子１１０は、外部デバイス１０００から既設定の形式（例えば、既設定の範囲内の電圧、電流、電力量など）の電力を受信することができる。また、受信端子１１０は、外部デバイス１０００の出力端と容易に接触するように互いに互換される形態（例えば、５ピン、８ピンなど）でもある。
【００４２】
一実施例によるデバイス１００が外部デバイス１０００から無線で電力を受信する場合、受信端子１１０は省略される。または、デバイス１００が外部デバイス１０００から無線で電力を受信する場合、受信端子１１０は、外部デバイス１０００から送信される電力を無線で受信する無線電力受信端子の機能を行う。
【００４３】
一実施例による受信端子１１０は、第１経路１４０を介してバッテリに電力を供給し、第２経路１５０を介して、ヒータ１３５に電力を供給する。
【００４４】
一実施例による第１経路１４０は、バッテリ１２０を充電するために、外部デバイス１０００から受信された電力の一部をバッテリ１２０に供給する。または、一実施例による第１経路１４０は、バッテリ１２０を充電するために、外部デバイス１０００から受信された電力の時間当たりの受信量（例えば、電流、電力など）によって外部デバイス１０００から受信された電力の全部または一部をバッテリ１２０に供給する。
【００４５】
例えば、受信端子１１０に印加された電力のうち、既設定の比率ほどの電力が第１経路１４０を介してバッテリ１２０に供給される。一例として、受信端子１１０に印加された電力のうち、７０％〜８０％の電力がバッテリ１２０に供給されるが、それに制限されない。
【００４６】
他の例として、受信端子１１０に印加された電力のうち、既定値の電力が第１経路１４０を介してバッテリ１２０に供給される。一例として、受信端子１１０に印加された電力のうち、ａ［ｗ］の電力がバッテリ１２０に供給される。もし、受信端子１１０に印加された電力がａ［ｗ］よりも小さい場合、受信端子１１０に印加された電力がいずれもバッテリ１２０に供給される。
【００４７】
他の例として、受信端子１１０に印加された電力のうち、既定値の電力を除いた残りの電力が第１経路１４０を介してバッテリ１２０に供給される。一例として、受信端子１１０に印加された電力のうち、ｂ［ｗ］を除いた電力がバッテリ１２０に供給される。もし、受信端子１１０に印加された電力がｂ［ｗ］よりも小さい場合、第１経路１４０を介してバッテリ１２０に供給される電力は、０でもある。
【００４８】
一実施例による第２経路１５０は、ヒータ１３５を加熱するために、外部デバイス１０００から受信された電力の一部または全部をヒータ１３５に供給する。
【００４９】
例えば、受信端子１１０に印加された電力のうち、既設定の比率ほどの電力が第２経路１５０を介して、ヒータ１３５に供給される。一例として、受信端子１１０に印加された電力のうち、７０％〜８０％の電力がヒータ１３５に供給されるが、それに制限されない。
【００５０】
他の例として、受信端子１１０に印加された電力のうち、既定値の電力が第２経路１５０を介して、ヒータ１３５に供給される。一例として、受信端子１１０に印加された電力のうち、ｃ［ｗ］の電力がヒータ１３５に供給される。もし、受信端子１１０に印加された電力がｃ［ｗ］よりも小さい場合、受信端子１１０に印加された電力がいずれもヒータ１３５に供給される。
【００５１】
他の例として、受信端子１１０に印加された電力のうち、既定値の電力を除いた残りの電力が第２経路１５０を介して、ヒータ１３５に供給される。一例として、受信端子１１０に印加された電力のうち、ｄ［ｗ］を除いた電力がヒータ１３５に供給される。もし、受信端子１１０に印加された電力がｄ［ｗ］よりも小さい場合、第２経路１５０を介して、ヒータ１３５に供給される電力は、０でもある。
【００５２】
一実施例によるプロセッサ２１０は、バッテリ１２０の充電とヒータ１３５の加熱とが同時に遂行されるように、外部デバイス１０００から受信された電力の供給を制御する。プロセッサ２１０は、バッテリ１２０の充電を行うと共に、ヒータ１３５の加熱を行うように第１経路１４０を介してバッテリ１２０に電力を供給し、第２経路１５０を介して、ヒータ１３５に電力を供給するように受信端子１１０を制御する。バッテリ１２０に供給される電力とヒータ１３５に供給される電力との比率は、場合に応じて決定される。
【００５３】
例えば、受信端子１１０に印加される電力が既定値以下である場合、プロセッサ２１０は、バッテリ１２０に電力を優先供給するように受信端子１１０を制御する。
【００５４】
他の例として、受信端子１１０に印加される電力が既定値以下である場合、プロセッサ２１０は、ヒータ１３５に電力を優先供給するように受信端子１１０を制御する。
【００５５】
他の例として、受信端子１１０に印加される電力が既定値以下である場合、プロセッサ２１０は、バッテリ１２０の残量によって先に電力が供給される対象を決定する。一例として、プロセッサ２１０は、バッテリ１２０の残量が既定値以下である場合、バッテリ１２０に電力を優先供給するように受信端子１１０を制御し、バッテリ１２０の残量が既定値超過である場合、ヒータ１３５に電力を優先供給するように受信端子１１０を制御する。
【００５６】
他の例として、受信端子１１０に印加される電力が既定値以下である場合、プロセッサ２１０は、ユーザの入力によって先に電力が供給される対象を決定する。一例として、ユーザがヒータ１３５を動作させている場合に、プロセッサ２１０は、ヒータ１３５に優先的に電力を供給するように受信端子１１０を制御する。
【００５７】
一実施例によって、ヒータ１３５に電力が優先供給されるように決定された場合、プロセッサ２１０は、受信端子１１０を制御して、バッテリ１２０の残量が既定値以下である場合にのみバッテリ１２０に電力を供給する。一実施例による第１経路１４０は、バッテリ１２０の残量が既定値以下である場合、バッテリ１２０を充電するために、外部デバイス１０００から受信された電力の一部をバッテリ１２０に供給する。また、一実施例による第２経路１５０は、バッテリ１２０の残量が既定値超過である場合、ヒータ１３５を加熱するために、外部デバイス１０００から受信された電力の全部をヒータ１３５に供給する。
【００５８】
一実施例によってバッテリ１２０に電力が優先供給されるように決定された場合、プロセッサ２１０は、受信端子１１０を制御して、ユーザの特定入力がある場合にのみヒータ１３５に電力を供給し、ユーザの特定入力がない場合には、ヒータ１３５に対する電力供給なしにバッテリ１２０の充電のみ行うように供給電力を制御する。
【００５９】
一実施例によれば、バッテリ１２０の充電とヒータ１３５の加熱とが同時に遂行されるので、充電中にも充電を中断せず、デバイス（例えば、電子タバコ）を利用可能であって、便利であり、かつ全体としての充電時間が短縮される。また、充電中にも外部デバイス１０００から供給される十分な電力を用いてデバイス１００の機能（例えば、加熱掃除）を遂行してユーザの便宜性が増大する。また、外部デバイス１０００の電力を用いてデバイス１００の機能（例えば、加熱掃除）を行う場合、デバイス１００の機能（例えば、加熱掃除）を行うために、バッテリ１２０から消耗する電力が減少する。
【００６０】
また、遂行されるデバイス１００の機能（例えば、加熱掃除）の種類によって、遂行されるデバイス１００の機能で要求する電力量が少ない場合、相対的にバッテリ１２０の充電に用いられる電力量が大きくなる。例えば、デバイス１００が複数回にかけて加熱掃除を行う場合、初期加熱掃除に用いられる電力量が少ない場合、初期加熱掃除遂行時には、バッテリ１２０の充電がさらに迅速に進む。
【００６１】
一実施例によるプロセッサ２１０は、バッテリ１２０に電力を供給するとき、バッテリ１２０からヒータへの電力供給に用いられる第３経路２２０を遮断することができる。
【００６２】
一実施例による第３経路２２０は、バッテリ１２０からヒータ１３５への電力提供時に用いられる電力供給経路を意味する。一実施例によるプロセッサ２１０は、バッテリ１２０に電力が供給されるとき、バッテリ１２０からヒータへの電力供給に用いられる第３経路２２０を遮断してバッテリ１２０が充電されないようにすることで、バッテリ１２０がヒータ１３５に電力を供給すると共に、充電される場合に発生する問題（例えば、不安定性）を防止する。例えば、第３経路２２０を遮断することで、バッテリ１２０の過熱や爆発、バッテリ１２０電力の過消耗などの危険性を防止することができる。
【００６３】
一実施例によるプロセッサ２１０は、バッテリ１２０が充電される場合、第１経路１４０と第２経路１３５とを介してそれぞれバッテリ１２０とヒータ１３５とに電力を供給し、第３経路２２０は、遮断することにより、バッテリ１２０からヒータ１３５に電力が供給されず、バッテリ１２０に対する充電とヒータ１３５の加熱とが同時に遂行されるようにバッテリ１２０及びヒータ１３５に供給される電力を制御することができる。
【００６４】
一実施例によるヒータ１３５は、第２経路１５０を介して受信された電力を用いて、ヒータ１３５を加熱する。
【００６５】
例えば、ヒータ１３５は、第２経路１５０を介して受信された電力を用いて、ヒータ１３５に付着されたシガレットを加熱し、エアロゾルを発生させる。他の例として、ヒータ１３５は、第２経路１５０を介して受信された電力を用いて加熱掃除を行う。具体的に、一例によるヒータ１３５は、ヒータ１３５に付着された異物を加熱を通じて除去する。他の例として、ヒータ１３５は、第２経路１５０を介して受信された電力を用いて、ヒータ１３５に隣接した物質を加熱してエアロゾルを発生させる。
【００６６】
一実施例によるデバイス１００は、外部デバイス１０００は、外部デバイス１０００から受信された電力の時間当たりの受信量（例えば、電力、電流など）によって外部デバイス１０００から受信された電力の全部または一部をバッテリ１２０またはヒータ１３５に供給する。
【００６７】
例えば、プロセッサ２１０は、バッテリ１２０の充電に優先順位を置いて動作する。一例として、第２経路１５０は、外部デバイス１０００から受信された電力の時間当たりの受信量（例えば、電力、電流など）が既定値以上である場合、ヒータ１３５を加熱するために、外部デバイス１０００から受信された電力の一部をヒータ１３５に供給する。他の例として、第１経路１４０は、外部デバイス１０００から受信された電力の時間当たりの受信量（例えば、電力、電流など）が既定値未満である場合、外部デバイス１０００から受信された電力の全部をバッテリ１２０に供給してバッテリ１２０を充電することができる。
【００６８】
または他の例として、プロセッサ２１０は、ヒータ１３５の加熱に優先順位を置いて動作する。一例として、第１経路１４０は、外部デバイス１０００から受信された電力の時間当たりの受信量（例えば、電力、電流など）が既定値以上である場合、バッテリ１２０を充電するために、外部デバイス１０００から受信された電力の一部をバッテリ１２０に供給する。他の例として、第２経路１５０は、外部デバイス１０００から受信された電力の時間当たりの受信量（例えば、電力、電流など）が既定値未満である場合、外部デバイス１０００から受信された電力の全部をヒータ１３５に供給して、ヒータ１３５を加熱する。
【００６９】
一実施例によるプロセッサ２１０は、バッテリ１２０の残量によって電力供給を制御する。一例として、プロセッサ２１０は、バッテリ１２０の残量が十分な場合、ヒータ１３５の加熱のみ行う。具体的に、第１経路１４０は、バッテリ１２０の残量が既定値以下である場合、バッテリ１２０を充電するために、外部デバイス１０００から受信された電力の一部をバッテリ１２０に供給する。または第２経路１５０は、バッテリ１２０の残量が既定値超過である場合、ヒータ１３５を加熱するために、外部デバイス１０００から受信された電力の全部をヒータ１３５に供給する。
【００７０】
一実施例によるデバイス１００は、外部デバイス１０００から無線で電力を受信する。
【００７１】
例えば、バッテリ１２０は、外部デバイス１０００から無線で電力を受信する。無線電力送信時には、交流形式で送信される。したがって、バッテリ１２０は、外部デバイス１０００から無線交流形式で電力を受信して充電される。バッテリ１２０は、既設定の形式（例えば、直流、交流）で第３経路２２０を介して、ヒータ１３５に電力を供給する。但し、上述したように、場合によって、第３経路２２０は、遮断される。
【００７２】
他の例として、ヒータ１３５は、外部デバイス１０００から無線で電力を受信する。無線電力送信時には、交流形式で送信される。したがって、ヒータ１３５は、外部デバイス１０００から無線交流形式で電力を受信して加熱を行う。ヒータ１３５は、既設定の形式（例えば、直流、交流）の電力を用いて、ヒータ１３５の温度を上昇させうる。その場合、ヒータ１３５は、外部デバイス１０００から直前電力を供給されるので、バッテリ１２０から受信される電力なしに動作することができる。
【００７３】
一実施例によるデバイス１００は、外部デバイス１０００から無線または有線で交流形態の電力を受信する。デバイス１００が交流形態の電力を受信する場合、交流形態の電力を変形なしに利用することができる。交流形態の電力を受信して、交流形態の電力を用いて動作を行う場合、エネルギー効率が高くなる。交流形態の電力を直流形態の電力に、または直流形態の電力を交流形態の電力に変換する過程が省略されるので、交流形態の電力を受信して交流形態の電力を利用すれば、エネルギー効率が高くなる。
【００７４】
例えば、デバイス１００に含まれたヒータ１３５は、交流形態の電力を受信し、受信した交流形態の電力を用いて加熱動作を行う。その場合、交流形態の電力を直流形態の電力に変換する過程が省略されるので、さらに高い効率でヒータ１３５が動作する。
【００７５】
交流形態の電力は、無線充電方式においてさらに効率的に用いられる。したがって、一実施例によるデバイス１００は、無線充電方式で交流形態の電力を受信し、交流形態の電力を用いて既設定の動作（例えば、ヒータ１３５を加熱）を行う。
【００７６】
図３は、一実施例によってバッテリ１２０を含むデバイス１００が外部デバイス１０００から電力を受信してバッテリ１２０を充電する一例を示すフローチャートである。本図面の内容は、上述した図１及び図２の内容を参照すればよい。
【００７７】
段階Ｓ３１０において、一実施例によるデバイス１００は、外部デバイス１０００から電力を受信する。
【００７８】
一実施例によるデバイス１００は、外部デバイス１０００から既設定の形式（例えば、既設定の範囲内の電圧、電流、電力量など）の電力を受信する。また、外部デバイス１０００からの電力受信に用いられる受信端子１１０は、外部デバイス１０００の出力端と容易に接触するように互いに互換される形態（例えば、５ピン、８ピンなど）であり、デバイス１００は、外部デバイス１０００から無線または有線で電力を受信する。
【００７９】
段階Ｓ３２０において、一実施例によるデバイス１００は、段階Ｓ３１０で受信された電力の一部または全部を第１経路１４０を介してバッテリ１２０に供給してバッテリ１２０を充電する。
【００８０】
一実施例による第１経路１４０は、バッテリ１２０を充電するために外部デバイス１０００から受信された電力の一部をバッテリ１２０に供給する。または、一実施例による第１経路１４０は、バッテリ１２０を充電するために、外部デバイス１０００から受信された電力の時間当たりの受信量（例えば、電流、電力など）によって外部デバイス１０００から受信された電力の全部または一部をバッテリ１２０に供給する。
【００８１】
段階Ｓ３３０において、一実施例によるデバイス１００は、段階Ｓ３１０において受信された電力の一部または全部を第２経路１５０を介してヒータ１３５に供給してヒータ１３５を加熱する。
【００８２】
一実施例による第２経路１５０は、ヒータ１３５を加熱するために、外部デバイス１０００から受信された電力の一部または全部をヒータ１３５に供給する。
【００８３】
一実施例によるデバイス１００は、外部デバイス１０００から受信された電力の時間当たりの受信量（例えば、電流、電力など）、バッテリ残量、ユーザ入力などによって外部デバイス１０００から受信された電力の全部または一部をヒータ１３５に供給してヒータ１３５を加熱する。
【００８４】
段階Ｓ３４０において、一実施例によるデバイス１００は、バッテリ１２０からヒータ１３５への電力供給に用いられる第３経路２２０を遮断する。
【００８５】
一実施例による第３経路２２０は、バッテリ１２０からヒータ１３５への電力提供時に用いられる電力供給経路を意味する。一実施例によるプロセッサ２１０は、バッテリ１２０に電力が供給されるとき、バッテリ１２０からヒータへの電力供給に用いられる第３経路２２０を遮断してバッテリ１２０が充電されないようにすることで、バッテリ１２０がヒータ１３５に電力を供給すると共に、充電される場合に発生する問題（例えば、不安定性）を防止する。
【００８６】
一実施例によるプロセッサ２１０は、バッテリ１２０が充電される場合、第１経路１４０と第２経路１３５を通じてそれぞれバッテリ１２０とヒータ１３５に電力を供給し、第３経路２２０は、遮断することで、バッテリ１２０からヒータ１３５に電力が供給されず、バッテリ１２０に対する充電とヒータ１３５の加熱とが同時に遂行されるようにバッテリ１２０及びヒータ１３５に供給される電力を制御する。
【００８７】
前記段階Ｓ３２０、Ｓ３３０及びＳ３４０の順序は変更可能であり、各段階は、互いに独立しても遂行される。
【００８８】
図４は、一実施例によってバッテリ１２０を含むデバイス１００が受信された電力の時間当たりの受信量によって、バッテリ１２０を充電する一例を示すフローチャートである。
【００８９】
段階Ｓ４１０は、上述した段階Ｓ３１０に対応するので、全体としての説明の簡略化のために詳細な説明を省略する。
【００９０】
段階Ｓ４２０において一実施例によるデバイス１００は、受信された電力の時間当たりの受信量（例えば、電力、電流など）が既定値以上であるか否かを決定する。例えば、デバイス１００は、電圧が既定値であるとき、電流の大きさが既定値以上であるか否かを決定する。
【００９１】
段階Ｓ４１０で受信された電力の時間当たりの受信量が既定値以上である場合、段階Ｓ４３０においてデバイス１００は、段階Ｓ４１０で受信された電力の一部を第１経路を介してバッテリ１２０に供給してバッテリ１２０を充電し、段階Ｓ４４０において、デバイス１００は、段階Ｓ４１０で受信された電力の一部を第２経路を介して、ヒータ１３５に供給してヒータ１３５を加熱する。段階Ｓ４３０と段階Ｓ４４０の順序は変更可能であり、各段階は、独立して遂行されるようにプロセッサ２１０によって制御される。
【００９２】
段階Ｓ４１０で受信された電力の時間当たりの受信量が既定値未満である場合、段階Ｓ４５０において一実施例によるデバイス１００は、段階Ｓ４１０で受信された電力の全部を第１経路１４０を介してバッテリ１２０に供給してバッテリ１２０を充電する。段階Ｓ４１０で受信された電力の全部がバッテリ１２０の充電に用いられるので、段階Ｓ４１０で受信された電力の時間当たりの受信量が既定値未満である場合、ヒータ１３５に対する加熱は、遂行されない。
【００９３】
図５は、一実施例によってバッテリ１２０を含むデバイス１００がバッテリ残量によって、バッテリ１２０を充電するか、ヒータ１３５を加熱する一例を示すフローチャートである。
【００９４】
段階Ｓ５１０は、上述した段階Ｓ３１０に対応するので、全体としての説明の簡略化のために詳細な説明を省略する。
【００９５】
段階Ｓ５２０において一実施例によるデバイス１００は、バッテリ１２０の残量が既定値以下であるか否かを決定する。例えば、デバイス１００は、バッテリ１２０の出力電圧が既定値以下であるか否かによって、バッテリ１２０の残量が既定値以下であるか否かが決定可能であるが、それに制限されない。
【００９６】
バッテリの残量が既定値以下である場合、段階Ｓ５３０で一実施例によるデバイス１００は、段階Ｓ５１０で受信された電力の一部を第１経路１４０を介してバッテリ１２０に供給してバッテリ１２０を充電する。段階Ｓ５１０で受信された電力の一部のみがバッテリ１２０の充電に用いられるので、ヒータ１３５の加熱がバッテリ１２０の充電と同時に遂行される。
【００９７】
バッテリの残量が既定値超過である場合、段階Ｓ５４０において一実施例によるデバイス１００は、段階Ｓ５１０で受信された電力の全部を第２経路１５０を介して、ヒータ１３５に供給してヒータ１３５を加熱する。その場合、段階Ｓ５１０で受信された電力の全部がヒータ１３５に供給されるので、バッテリ１２０に対する充電は遂行されない。
【００９８】
図６は、一実施例によって多種の外部デバイス１０００−１、１０００−２、１０００−３から受信された電力を用いて充電を行うか、ヒータ１３５を加熱するデバイスの一例を示す図面である。
【００９９】
デバイス１００に電力を提供する外部デバイス１０００は、複数種がある。例えば、デバイス１００は、コンピュータ１０００−１、アダプダ１０００−２、補助バッテリ１０００−３などから電力を受信することができるが、それに制限されない。
【０１００】
また、デバイス１００は、ケーブル２００を通じて外部デバイス１０００から電力を受信する。図６を参照すれば、ケーブルは、ＵＳＢ規格によると示されているが、これは、一例であって、それに制限されず、他の規格のケーブルが利用されてもよい。
【０１０１】
図７は、一実施例によってデバイス１００の一例である電子タバコ１００−１が外部デバイス１０００から受信された電力を用いて充電を行うか、ヒータ１３５を加熱する一例を示す図面である。
【０１０２】
デバイス１００の一例として、電子タバコ１００−１が開示される。デバイス１００の一例である電子タバコ１００−１は、バッテリ１２０及びヒータ１３５を含み、ヒータ１３５の加熱を通じてエアロゾルを生成することができる。
【０１０３】
図８は、一実施例によって電子タバコ８１０にデバイス１００が含まれる一例を示す図面である。
【０１０４】
図７の図示とは異なって、図８を参照すれば、デバイス１００は、電子タバコ８１０の一構成として含まれる。例えば、バッテリ１２０及びヒータ１３５を含むデバイス１００は、電子タバコ８１０内で１つのモジュールとして具現される。
【０１０５】
図９は、一実施例によってデバイス１０００の一例であるホルダ１００−２がクレードル９１０から受信された電力を用いて充電を行うか、ヒータ１３５を加熱する一例を示す図面である。
【０１０６】
デバイス１００の一例としてホルダ１００−２が開示される。デバイス１００の一例であるホルダ１００−２は、バッテリ１２０及びヒータ１３５を含み、ヒータ１３５の加熱を通じてエアロゾルを生成する。また、ホルダ１００−２は、クレードル９１０から電力を受信する。その場合、クレードル９１０は、外部デバイス１０００の一例である。ホルダ１００−２は、クレードル９１０から有線または無線で電力を受信する。
【０１０７】
図１０は、一実施例によってデバイス１００の一例であるホルダ１００−２が外部デバイス１０００から受信された電力を用いて充電を行うか、ヒータ１３５を加熱する一例を示す図面である。
【０１０８】
図９の図示とは異なって、図１０を参照すれば、ホルダ１００−２は、必ずしもクレードル９１０から電力を受信する必要はなく、クレードル９１０以外の外部デバイス１０００から電力を受信する。ホルダ１００−２が外部デバイス１０００から電力を受信するときには、ケーブル２００を利用してもよいが、既設定の接触方式によって電力を受信しても、無線で電力を受信してもよい。
【０１０９】
図１１は、一実施例によってエアロゾルを生成することができるデバイス１００の一例を示す図面である。
【０１１０】
図１１を参照すれば、デバイス１００は、バッテリ２１１０、プロセッサ２１２０及びヒータ２１３０を含む。また、デバイス１００は、ケース２１４０によって形成された内部空間を含む。デバイス１００の内部空間には、シガレットが挿入される。
【０１１１】
図１１に示されたデバイス１００には、本実施例に係わる構成要素だけが示されている。したがって、図１１に示された構成要素外に他の汎用的な構成要素（例えば、外部加熱型など）がデバイス１００にさらに含まれてもよいということは、本実施例に係わる技術分野において当業者であるならば、理解することができるであろう。
【０１１２】
シガレットがデバイス１００に挿入されれば、デバイス１００は、ヒータ２１３０を加熱する。シガレット内のエアロゾル生成物質は、加熱されたヒータ２１３０によって温度が上昇し、それにより、エアロゾルが生成される。生成されたエアロゾルは、シガレットのフィルタを介してユーザに伝達される。但し、シガレットがデバイス１００に挿入されていない場合にも、デバイス１００は、ヒータ２１３０を加熱することができる。例えば、デバイス１００は、シガレットが挿入されない場合にも、残留付着物の除去のための加熱掃除などのためにヒータ２１３０を加熱することができる。
【０１１３】
ケース２１４０は、デバイス１００から分離される。例えば、ユーザがケース２１４０を時計回り方向または逆時計回り方向に回すことで、ケース２１４０は、デバイス１００から分離される。
【０１１４】
また、ケース２１４０の末端２１４１が形成する孔の直径は、ケース２１４０とヒータ２１３０によって形成された空間の直径に比べて小さく作製され、その場合、デバイス１００に挿入されるシガレットのガイド役割を行うことができる。
【０１１５】
バッテリ２１１０は、デバイス１００の動作に用いられる電力を供給する。例えば、バッテリ２１１０は、ヒータ２１３０が加熱されるように電力を供給し、プロセッサ２１２０の動作に必要な電力を供給することができる。また、バッテリ２１１０は、デバイス１００に設けられたディスプレイ、センサ、モータなどの動作に必要な電力を供給することができる。
【０１１６】
バッテリ２１１０は、リチウムリン酸鉄（ＬｉＦｅＰＯ４）バッテリでもあるが、上述した例に限定されない。例えば、バッテリ２１１０は、酸化リチウムコバルト（ＬｉＣｏＯ２）バッテリ、リチウムチタン酸塩バッテリなどが該当する。
【０１１７】
また、バッテリ２１１０は、直径１０ｍｍ、長さ３７ｍｍである円柱状でもあるが、それに限定されない。バッテリ２１１０の容量は、１２０ｍＡｈ以上であり、充電可能なバッテリであるか、使い捨てバッテリでもある。例えば、バッテリ２１１０が充電可能な場合、バッテリ２１１０の充電率(C-rate)は、１０Ｃ、放電率(C-rate)は、１６Ｃないし２０Ｃであるが、それに限定されない。また、安定した使用のために、バッテリ２１１０は、充／放電が８０００回進められた場合にも、全体容量の８０％以上が確保されるように作製される。
【０１１８】
ここで、バッテリ２１１０の完全充電及び完全放電如何は、バッテリ２１１０に保存された電力がバッテリ２１１０の全体容量に対してどれ位であるかによって判断される。例えば、バッテリ２１１０に保存された電力が全体容量の９５％以上である場合、バッテリ２１１０が完全充電されたと判断される。また、バッテリ２１１０に保存された電力が全体容量の１０％以下である場合、バッテリ２１１０が完全放電されたと判断される。しかし、バッテリ２１１０の完全充電及び完全放電如何に係わる判断基準は、上述した例に限定されない。
【０１１９】
ヒータ２１３０は、バッテリ２１１０から供給された電力によって加熱される。シガレットがデバイス１００に挿入されれば、ヒータ２１３０は、シガレットの内部に位置する。したがって、加熱されたヒータ２１３０は、シガレット内のエアロゾル生成物質の温度を上昇させうる。
【０１２０】
ヒータ２１３０は、円柱と円錐とが組み合わせられた形状でもある。例えば、ヒータ２１３０は、直径約２ｍｍ、長さ約２３ｍｍである円柱状を有し、ヒータ２１３０の末端２１３１は鋭角に仕上げられが、それに限定されない。言い換えれば、ヒータ２１３０は、シガレットの内部に挿入される形態であれば、制限なしに該当されうる。また、ヒータ２１３０は、一部のみ加熱されてもよい。例えば、ヒータ２１３０の長さが２３ｍｍと仮定すれば、ヒータ２１３０の末端２１３１から１２ｍｍのみ加熱され、ヒータ２１３０の残りの部分は、加熱されない。
【０１２１】
ヒータ２１３０は、電気抵抗性ヒータでもある。例えば、ヒータ２１３０には、電気伝導性トラック(track)を含み、電気伝導性トラックに電流が流れることにより、ヒータ２１３０が加熱される。
【０１２２】
安定した使用のために、ヒータ２１３０には、３．２Ｖ、２．４Ａ、８Ｗの規格による電力が供給されるが、それらに限定されるものではない。例えば、ヒータ２１３０に電力が供給される場合、ヒータ２１３０の表面温度は、４００℃以上に上昇する。ヒータ２１３０への電力供給開始時点から１５秒が超過する前に、ヒータ２１３０の表面温度は、約３５０℃まで上昇する。
【０１２３】
デバイス１００には、別途の温度感知センサが備えられる。または、デバイス１００に温度感知センサが備えられず、ヒータ２１３０が温度感知センサの役割も行える。例えば、ヒータ２１３０には、発熱のための第１電気伝導性トラック以外に温度感知のための第２電気伝導性トラックがさらに含まれる。
【０１２４】
例えば、第２電気伝導性トラックに加えられる電圧及び第２電気伝導性トラックに流れる電流が測定されれば、抵抗Ｒが決定される。この際、下記数式１によって第２電気伝導性トラックの温度Ｔが決定される。
【０１２５】
（数１）
Ｒ＝Ｒ０{１＋α（Ｔ−Ｔ０）}
【０１２６】
数式１において、Ｒは、第２電気伝導性トラックの現在抵抗値を意味し、Ｒ０は、温度Ｔ０（例えば、０℃）での抵抗値を意味し、αは、第２電気伝導性トラックの抵抗温度係数を意味する。伝導性物質（例えば、金属）は、固有の抵抗温度係数を有しているが、第２電気伝導性トラックを構成する伝導性物質により、αは、事前にも決定される。したがって、第２電気伝導性トラックの抵抗Ｒが決定される場合、前記数式１により、第２電気伝導性トラックの温度Ｔが演算される。
【０１２７】
ヒータ２１３０は、少なくとも１つの電気伝導性トラック（第１電気伝導性トラック及び第２電気伝導性トラック）で構成される。例えば、ヒータ２１３０は、２個の第１電気伝導性トラック及び１個または２個の第２電気伝導性トラックによっても構成されるが、それらに限定されるものではない。
【０１２８】
電気伝導性トラックは、電気抵抗性物質を含む。一例として、電気伝導性トラックは、金属物質によって作製される。他の例として、電気伝導性トラックは、電気伝導性セラミック物質、炭素、金属合金またはセラミック物質と金属との合成物質によって作製される。
【０１２９】
また、デバイス１００は、温度感知センサの役割を行う電気伝導性トラック及び温度感知センサをいずれも含んでもよい。
【０１３０】
プロセッサ２１２０は、デバイス１００の動作を全般的に制御する。具体的に、プロセッサ２１２０は、バッテリ２１１０及びヒータ２１３０だけでなく、デバイス１００に含まれた他の構成の動作を制御する。また、プロセッサ２１２０は、デバイス１００の構成それぞれの状態を確認し、デバイス１００が動作可能な状態であるか否かを判断することもできる。
【０１３１】
プロセッサ２１２０は、少なくとも１つのプロセッサを含む。プロセッサは、多数の論理ゲートのアレイによっても具現され、汎用的なマイクロプロセッサと、該マイクロプロセッサで実行されるプログラムが保存されたメモリとの組み合わせによっても具現される。また、他の形態のハードウェアによっても具現されるということは、本実施例が属する技術分野において当業者であるならば、理解することができるであろう。
【０１３２】
例えば、プロセッサ２１２０は、ヒータ２１３０の動作を制御することができる。プロセッサ２１２０は、ヒータ２１３０が所定の温度まで加熱されるか、適切な温度を保持するようにヒータ２１３０への供給電力量及び電力供給時間を制御することができる。また、プロセッサ２１２０は、バッテリ２１１０の状態（例えば、バッテリ２１１０の残量など）を確認し、必要であれば、お知らせ信号を生成することができる。
【０１３３】
また、プロセッサ２１２０は、ユーザのパフ(puff)の有無及びパフの強度を確認し、パフの数をカウンティングすることができる。また、プロセッサ２１２０は、デバイス１００が作動している時間を続けて確認することができる。また、プロセッサ２１２０は、クレードルがデバイス１００と結合されたか否かを確認し、クレードルとデバイス１００の結合または分離によってデバイス１００の動作を制御することができる。
【０１３４】
一方、デバイス１００は、バッテリ２１１０、プロセッサ２１２０及びヒータ２１３０以外に、汎用的な構成をさらに含んでもよい。
【０１３５】
例えば、デバイス１００は、視覚情報の出力が可能なディスプレイまたは触覚情報の出力のためのモータを含んでもよい。一例として、デバイス１００にディスプレイが含まれる場合、プロセッサ２１２０は、ディスプレイを通じて、ユーザにデバイス１００の状態に係わる情報（例えば、ホルダの使用可能如何など）、ヒータ２１３０に係わる情報（例えば、予熱開始、予熱進行、予熱完了など）、バッテリ２１１０に係わる情報（例えば、バッテリ２１１０の残余容量、使用可能如何など）、デバイス１００のリセットに係わる情報（例えば、リセット時期、リセット進行、リセット完了など）、デバイス１００の掃除に係わる情報（例えば、掃除時期、掃除必要、掃除進行、掃除完了など）、デバイス１００の充電に係わる情報（例えば、充電必要、充電進行、充電完了など）、パフに係わる情報（例えば、パフ回数、パフ終了予告など）または安全に係わる情報（例えば、使用時間経過など）などを伝達することができる。他の例として、デバイス１００にモータが含まれる場合、プロセッサ２１２０は、モータを用いて振動信号を生成することで、ユーザに上述した情報を伝達することができる。
【０１３６】
また、デバイス１００は、ユーザがデバイス１００の機能を制御することができる少なくとも１つの入力装置（例えば、ボタン）及び／または、クレードルと結合される端子を含んでもよい。例えば、ユーザは、デバイス１００の入力装置を用いて多様な機能を行うことができる。ユーザが入力装置を押す回数（例えば、１回、２回など）または入力装置を押している時間（例えば、０．１秒、０．２秒）を調節することにより、デバイス１００の複数の機能のうち、所望の機能を行うことができる。ユーザが入力装置を作動させることにより、デバイス１００は、ヒータ２１３０を予熱する機能、ヒータ２１３０の温度を調節する機能、シガレットが挿入される空間を掃除する機能、デバイス１００が作動可能な状態であるか否かを点検する機能、バッテリ２１１０の残量（可用電力）を表示する機能、デバイス１００のリセット機能などが行われる。しかし、デバイス１００の機能は、上述した例に限定されない。
【０１３７】
また、デバイス１００は、パフ感知センサ、温度感知センサ及び／またはシガレット挿入感知センサを含んでもよい。例えば、パフ感知センサは、一般的な圧力センサによって具現され、シガレット挿入感知センサは、一般的な静電容量型センサまたは抵抗センサによっても具現される。また、デバイス１００は、シガレットが挿入された状態でも、外部空気が流入／流出がなされる構造にも作製される。
【０１３８】
図１２は、一実施例によってシガレット挿入を通じてエアロゾルを生成することができるデバイス１００の一例を示す図面である。
【０１３９】
デバイス１００は、シガレット挿入部３１１０、蒸気化器(vaporizer)３１２０、プロセッサ３１３０、及びバッテリ３１４０を含んでもよい。図１２に示されたデバイス１００は、本実施例に係わる構成要素のみ示されている。したがって、図１２に示された構成要素以外に、他の汎用的な構成要素がデバイス１００にさらに含まれてもよいということは、本実施例に係わる技術分野において当業者であるならば、理解することができるであろう。また、デバイス１００は、ステップ形態でもあり、ホルダ(holder)形態でもある。
【０１４０】
シガレット挿入部３１１０は、デバイス１００の一端の領域に該当するところ、一実施例によって、シガレット３０１０が挿入可能な空間を含んでもよい。一実施例によって、シガレット３０１０は、図１２に示されたように、一般的なシガレットの形態を有することができる。他の実施例によって、シガレット３０１０は、タバコ原料が熱伝導物質に積もられた形態を有することができる。
【０１４１】
蒸気化器３１２０は、液状組成物を加熱し、エアロゾルを生成し、生成されたエアロゾルがシガレット挿入部３１１０に挿入されたシガレット３０１０を通過するように、生成されたエアロゾルを挿入されたシガレット３０１０に向けて放出することができる。したがって、シガレット３０１０を通過したエアロゾルにタバコ香味(tobacco flavor)が加味され、ユーザは、シガレット３０１０の一端を口で吸い込んで、タバコ香味が加味されたエアロゾルを吸入する。一実施例によって、蒸気化器３１２０は、カトマイザ(cartomizer)または霧化器(atomizer)とも称する。
【０１４２】
一実施例によって、シガレット挿入部３１１０は、挿入されたシガレット３０１０を加熱するためのヒータモジュールを含んでもよい。ヒータモジュールは、管状の加熱要素、板状の加熱要素、針または棒状の加熱要素を含み、加熱要素の形態により、シガレット３０１０の内部または外部を加熱することができる。ヒータモジュールは、シガレット３０１０を加熱してタバコ香味が加味されたエアロゾルを生成し、それにより、ユーザは、シガレット３０１０の一端を口で吸いこんで、タバコ香味が加味されたエアロゾルを吸入する。したがって、ユーザは、蒸気化器３１２０によって生成されたエアロゾル、及びシガレット３０１０の加熱から生成されたエアロゾルを共に吸い込むことができる。また、ヒータモジュールは、相対的に低温（例えば、４０℃ないし２００℃）でシガレット３０１０を加熱するところ、シガレット３０１０から発生する有害成分を効果的に減らすことができる。
【０１４３】
他の実施例によって、シガレット挿入部３１１０は、挿入されたシガレット３０１０を加熱するためのヒータモジュールを含まないこともある。その場合、蒸気化器３１２０によって生成されたエアロゾルは、非加熱のシガレット３０１０を通過しても、タバコ香味(tobacco flavor)が加味される。特に、喫味調節処理されたシガレット３０１０は、周囲空気またはエアロゾルとの接触によってタバコ香味成分を放出することができる。したがって、ユーザは、非加熱のシガレット３０１０からタバコ香味が加味されたエアロゾルを吸入する。また、蒸気化器３１２０の加熱によって生成されたエアロゾルなので、ユーザは、非加熱のシガレット３０１０から温熱感を有するエアロゾルを吸入する。
【０１４４】
一実施例によって、蒸気化器３１２０は、入れ替え可能にデバイス１００に結合されもする。
【０１４５】
プロセッサ３１３０は、デバイス１００の動作を全般的に制御する。具体的に、プロセッサ３１３０は、バッテリ３１４０及び蒸気化器３１２０のみならず、デバイス１００に含まれた他の構成の動作を制御する。また、プロセッサ３１３０は、デバイス１００の構成それぞれの状態を確認し、デバイス１００が動作可能な状態であるか否かを判断することもできる。
【０１４６】
プロセッサ３１３０は、少なくとも１つのプロセッサを含む。プロセッサは、多数の論理ゲートのアレイによっても具現され、汎用的なマイクロプロセッサと、該マイクロプロセッサで実行されるプログラムが保存されたメモリとの組み合わせによっても具現される。また、他の形態のハードウェアによっても具現されるということは、本実施例が属する技術分野において当業者であるならば、理解することができるであろう。
【０１４７】
バッテリ３１４０は、デバイス１００の動作に用いられる電力を供給する。例えば、バッテリ３１４０は、蒸気化器３１２０が液状組成物を加熱するように、蒸気化器３１２０に電流を供給することができる。また、バッテリ３１４０は、デバイス１００に設けられたディスプレイ、センサ、モータなどの動作に必要な電力を供給することができる。
【０１４８】
バッテリ３１４０は、リチウムリン酸鉄（ＬｉＦｅＰＯ４）バッテリでもあるが、上述した例に限定されない。例えば、バッテリ３１４０は、酸化リチウムコバルト（ＬｉＣｏＯ２）バッテリ、リチウムチタン酸塩バッテリなどが該当する。
【０１４９】
バッテリ３１４０は、直径１０ｍｍ、長さ３７ｍｍである円柱状でもあるが、それに限定されない。バッテリ３１４０の容量は、１２０ｍＡｈないし２５０ｍＡｈの範囲を有することができるが、それに限定されない。また、バッテリ３１４０は充電可能なバッテリであるか、使い捨てバッテリでもある。例えば、バッテリ３１４０が充電可能な場合、バッテリ３１４０の充電率(C-rate)は、１０Ｃ、放電率(C-rate)は、１０Ｃないし２０Ｃであるが、それに限定されない。また、安定した使用のために、バッテリ３１４０は充／放電が２０００回進められた場合にも、全体容量の８０％以上が確保されるようにも作製される。
【０１５０】
一方、デバイス１００は、バッテリ３１４０、プロセッサ３１３０及び蒸気化器３１２０外に汎用的な構成をさらに含んでもよい。
【０１５１】
例えば、デバイス１００は、視覚情報の出力が可能なディスプレイまたは触覚情報の出力のためのモータを含んでもよい。一例として、デバイス１００にディスプレイが含まれる場合、プロセッサ３１３０は、ディスプレイを通じて、ユーザに蒸気化器３１２０の状態に係わる情報（例えば、蒸気化器３１２０の使用可能如何など）、ヒータモジュールに係わる情報（例えば、予熱開始、予熱進行、予熱完了など）、バッテリ３１４０に係わる情報（例えば、バッテリ３１４０の残余容量、使用可能如何など）、デバイス１００のリセットに係わる情報（例えば、リセット時期、リセット進行、リセット完了など）、デバイス１００の掃除に係わる情報（例えば、掃除時期、掃除必要、掃除進行、掃除完了など）、デバイス１００の充電に係わる情報（例えば、充電必要、充電進行、充電完了など）、ユーザのパフに係わる情報（例えば、パフの強度など）または安全に係わる情報（例えば、使用時間経過など）などを伝達することができる。他の例として、デバイス１００にモータが含まれる場合、プロセッサ３１３０はモータを用いて振動信号を生成することで、ユーザに上述した情報を伝達することができる。
【０１５２】
デバイス１００は、ユーザがデバイス１００の機能を制御することができる少なくとも１つの入力装置（例えば、ボタン）及び／または、クレードルと結合される端子を含んでもよい。例えば、ユーザは、デバイス１００の入力装置を用いて多様な機能を行うことができる。ユーザが入力装置を押す回数（例えば、１回、２回など）または入力装置を押している時間（例えば、０．１秒、０．２秒）を調節することで、デバイス１００の複数の機能のうち、所望の機能を行うことができる。ユーザが入力装置を作動させることにより、蒸気化器３１２０の加熱要素またはヒータモジュールを予熱する機能、蒸気化器３１２０の加熱要素またはヒータモジュールの温度を調節する機能、シガレットが挿入される空間を掃除する機能、デバイス１００が作動可能な状態であるか否かを点検する機能、バッテリ３１４０の残量（可用電力）を表示する機能、デバイス１００のリセット機能などが行われる。しかし、デバイス１００の機能は、上述した例に限定されない。
【０１５３】
デバイス１００は、パフ感知センサ、温度感知センサ及び／またはシガレット挿入感知センサを含んでもよい。また、デバイス１００は、シガレットが挿入された状態でも、外部空気の流入／流出がなされる構造にも作製される。
【０１５４】
一方、上述した方法は、コンピュータで実行されるプログラムで作成可能であり、コンピュータで読み取り可能な記録媒体を用いて前記プログラムを動作させる汎用デジタルコンピュータでも具現される。また、上述した方法で使用されたデータの構造は、コンピュータで読み取り可能な記録媒体に多くの手段を通じて記録される。前記コンピュータで読み取り可能な記録媒体は、マグネチック記録媒体（例えば、ROM(Read Only Memory)、RAM、ＵＳＢ、フロッピー（登録商標）ディスク、ハードディスクなど）、光学的判読媒体（例えば、ＣＤ−ＲＯＭ、DVDなど）のような記録媒体を含む。
【０１５５】
本実施例に係わる技術分野において通常の知識を有する者は、前記記載の本質的な特性から外れない範囲内で変形された形態に具現可能であるということを理解できるであろう。したがって、開示された方法は、限定的な観点ではなく、説明的な観点で考慮されねばならない。本発明の範囲は、前述した説明ではなく、特許請求の範囲に示されており、それと同等な範囲内にある全ての相違点は、本発明に含まれるものと解釈されねばならない。
【図１】
2021503271.tif 000003
【図２】
2021503271.tif 000004
【図３】
2021503271.tif 000005
【図４】
2021503271.tif 000006
【図５】
2021503271.tif 000007
【図６】
2021503271.tif 000008
【図７】
2021503271.tif 000009
【図８】
2021503271.tif 000010
【図９】
2021503271.tif 000011
【図１０】
2021503271.tif 000012
【図１１】
2021503271.tif 000013
【図１２】
2021503271.tif 000014
【国際調査報告】
2021503271.tif 000015
2021503271.tif 000016
2021503271.tif 000017
2021503271.tif 000018
2021503271.tif 000019
2021503271.tif 000020
2021503271.tif 000021
2021503271.tif 000022
2021503271.tif 000023
2021503271.tif 000024
2021503271.tif 000025
2021503271.tif 000026